(57)【特許請求の範囲】
【請求項１】
端子台にハーネスの接続端子と接続される導電部が設けられ、
前記端子台は、
絶縁性材料により形成された端子台本体と、
前記端子台本体より突出する前記導電部と、
前記端子台本体と一体形成され、前記導電部の外周を覆う被覆部と、
前記導電部に形成され、前記接続端子と当接する座面と、を備え、
前記ハーネスは、
ハーネス本体と、前記ハーネス本体の端部に設けた前記接続端子とを備え、
前記導電部と、前記接続端子とを覆うカバー本体を備えた端子カバーであって、
前記カバー本体は、
前記導電部が挿入される開口を有する接続側カバー部と、
前記接続側カバー部と一体形成され、前記導電部から外方へ延びる前記ハーネス本体を通す挿通孔を有するハーネス側カバー部と、を備え、
前記接続側カバー部と一体形成されるとともに前記開口を形成し、前記被覆部の外周にわたって密着する筒状部と、
前記筒状部の先端に形成され、前記端子台本体の表面に押圧される環状端と、
前記開口へ向けて張り出して形成され、前記接続端子と前記被覆部との間にて、前記導電部に係合される内フランジ部と、
前記接続側カバー部の外周から前記カバー本体の長手方向および前記カバー本体の長手方向と直交する幅方向の外方へ張り出す外フランジ部と、
前記カバー本体の長手方向における前記ハーネス側カバー部の端部と反対側となる前記接続側カバー部の端部にて前記外フランジ部と一体形成される着脱用のつまみ部と、を備え、 
前記外フランジ部は、前記カバー本体の幅方向において前記接続側カバー部よりも幅広く形成されていることを特徴とする端子カバー。
【請求項２】
端子台にハーネスの接続端子と接続される導電部が設けられ、
前記端子台は、
絶縁性材料により形成された端子台本体と、
前記端子台本体より突出する前記導電部と、
前記端子台本体と一体形成され、前記導電部の外周を覆う被覆部と、
前記導電部に形成され、前記接続端子と当接する座面と、を備え、
前記ハーネスは、
ハーネス本体と、前記ハーネス本体の端部に設けた前記接続端子とを備え、
前記導電部と、前記接続端子とを覆うカバー本体を備えた端子カバーであって、
前記カバー本体は、
前記導電部が挿入される開口を有する接続側カバー部と、
前記接続側カバー部と一体形成され、前記導電部から外方へ延びる前記ハーネス本体を通す挿通孔を有するハーネス側カバー部と、を備え、
前記接続側カバー部と一体形成されるとともに前記開口を形成し、前記被覆部の外周にわたって密着する筒状部と、
前記筒状部の先端に形成され、前記端子台本体の表面に押圧される環状端と、
前記開口へ向けて張り出して形成され、前記接続端子と前記被覆部との間にて、前記導電部に係合される内フランジ部と、
前記接続側カバー部の外周から前記カバー本体の長手方向および前記カバー本体の長手方向と直交する幅方向の外方へ張り出す外フランジ部と、
前記カバー本体の長手方向における前記ハーネス側カバー部の端部と反対側となる前記接続側カバー部の端部にて前記外フランジ部と一体形成される着脱用のつまみ部と、を備え、 
前記外フランジ部は、前記つまみ部よりも前記接続側カバー部の幅方向の外方へ張り出していることを特徴とする端子カバー。
【請求項３】
前記外フランジ部は、前記接続側カバー部の外周にて前記開口の挿入方向における前記内フランジ部の位置と対応する位置に形成されていることを特徴とする請求項１又は２記載の端子カバー。
【請求項４】
前記接続側カバー部は、前記開口を有する開口側端部を備え、
前記外フランジ部は、少なくとも、前記接続側カバー部の外周において前記開口の中心よりも前記開口側端部へ向けて形成されていることを特徴とする請求項１又は２記載の端子カバー。
【発明の詳細な説明】
【技術分野】
【０００１】
この発明は、端子カバーに関し、特に、端子台の導電部とこの導電部と電気的に接続されたハーネスの接続端子とを覆う端子カバーに関する。
【背景技術】
【０００２】
端子カバーに関する従来技術としては、例えば、特許文献１に開示された外部端子接続用キャップを挙げることができる。特許文献１に開示された外部端子接続用キャップは、弾力性のあるゴム、樹脂等の材質から形成されており、ほぼドーム形状の接続部収容部と、この接続部収容部に連通するほぼ円筒形のケーブル収容部とを有している。接続部収容部の下端に形成された底面開口部の周縁には、外方へ突出するリップ部が形成されている。リップ部に隣接する接続部収容部の内周面上に締め付け部が画成され、締め付け部の上側に内方へ突出する押さえ部が形成されている。接続部収容部の外周面上には、外方へ向かって延出された着脱用つまみ部が形成されている。
【０００３】
一方、外部端子接続部用キャップが装着される端子接続部は、樹脂製の端子台と、取り付け部の外側から内側に至るように端子台を貫通する導電部とを有している。そして、外部端子接続用キャップの着脱用つまみ部を引っ張ることで締め付け部および押さえ部を広げて、容易に外部端子接続部用キャップを端子接続部に装着することができる。外部端子接続部用キャップが端子接続部に装着されたときには、押さえ部の上面が外部端子の張り出し部の下面に係合されることによりリップ部が端子台の上面に押圧されると共に、締め付け部が端子台の円筒状突条部の外周面に押圧されることとなる。これにより、外部端子と導電部との接続部に対して優れた防水性を確保することができる。
【先行技術文献】
【特許文献】
【０００４】
【特許文献１】特開２００９−４３６８５号公報
【発明の概要】
【発明が解決しようとする課題】
【０００５】
ところで、特許文献１に開示された外部端子接続用キャップは、締め付け部および押さえ部を広げて、容易に外部端子接続部用キャップを端子接続部に装着するため、着脱用つまみ部を引っ張るために引っ張り方向に十分なスペースを必要とする。しかしながら、特許文献１に開示された外部端子接続用キャップでは、装着の際に着脱用つまみ部の引っ張りのために必要なスペースが十分でない場合、外部端子接続用キャップを端子台に対して確実に装着することができないという問題がある。
【０００６】
本発明は上記の問題点に鑑みてなされたもので、本発明の目的は、装着に必要なスペースが制約を受ける場合であっても、端子台に対して確実な装着を可能とする端子カバーの提供にある。
【課題を解決するための手段】
【０００７】
上記の課題を解決するために、本発明は、端子台にハーネスの接続端子と接続される導電部が設けられ、前記端子台は、絶縁性材料により形成された端子台本体と、前記端子台本体より突出する前記導電部と、前記端子台本体と一体形成され、前記導電部の外周を覆う被覆部と、前記導電部に形成され、前記接続端子と当接する座面と、を備え、前記ハーネスは、ハーネス本体と、前記ハーネス本体の端部に設けた前記接続端子とを備え、前記導電部と、前記接続端子とを覆うカバー本体を備えた端子カバーであって、前記カバー本体は、前記導電部が挿入される開口を有する接続側カバー部と、前記接続側カバー部と一体形成され、前記導電部から外方へ延びる前記ハーネス本体を通す挿通孔を有するハーネス側カバー部と、を備え、前記接続側カバー部と一体形成されるとともに前記開口を形成し、前記被覆部の外周にわたって密着する筒状部と、前記筒状部の先端に形成され、前記端子台本体の表面に押圧される環状端と、前記開口へ向けて張り出して形成され、前記接続端子と前記被覆部との間にて、前記導電部に係合される内フランジ部と、前記接続側カバー部の外周から前記カバー本体の長手方向および前記カバー本体の長手方向と直交する幅方向の外方へ張り出す外フランジ部と、前記カバー本体の長手方向における前記ハーネス側カバー部の端部と反対側となる前記接続側カバー部の端部にて前記外フランジ部と一体形成される着脱用のつまみ部と、を備え、前記外フランジ部は、前記カバー本体の幅方向において前記接続側カバー部よりも幅広く形成されていることを特徴とする。
また、本発明は、端子台にハーネスの接続端子と接続される導電部が設けられ、前記端子台は、絶縁性材料により形成された端子台本体と、前記端子台本体より突出する前記導電部と、前記端子台本体と一体形成され、前記導電部の外周を覆う被覆部と、前記導電部に形成され、前記接続端子と当接する座面と、を備え、前記ハーネスは、ハーネス本体と、前記ハーネス本体の端部に設けた前記接続端子とを備え、前記導電部と、前記接続端子とを覆うカバー本体を備えた端子カバーであって、前記カバー本体は、前記導電部が挿入される開口を有する接続側カバー部と、前記接続側カバー部と一体形成され、前記導電部から外方へ延びる前記ハーネス本体を通す挿通孔を有するハーネス側カバー部と、を備え、前記接続側カバー部と一体形成されるとともに前記開口を形成し、前記被覆部の外周にわたって密着する筒状部と、前記筒状部の先端に形成され、前記端子台本体の表面に押圧される環状端と、前記開口へ向けて張り出して形成され、前記接続端子と前記被覆部との間にて、前記導電部に係合される内フランジ部と、前記接続側カバー部の外周から前記カバー本体の長手方向および前記カバー本体の長手方向と直交する幅方向の外方へ張り出す外フランジ部と、前記カバー本体の長手方向における前記ハーネス側カバー部の端部と反対側となる前記接続側カバー部の端部にて前記外フランジ部と一体形成される着脱用のつまみ部と、を備え、前記外フランジ部は、前記つまみ部よりも前記接続側カバー部の幅方向の外方へ張り出していることを特徴とする。
【０００８】
本発明では、カバー本体における外フランジ部の被押圧面を押圧して外フランジ部を端子台へ向けて押圧することで、内フランジ部の導電部への係合と、環状端の端子台本体に対する押圧が確実に行われる。従って、装着に必要なスペースが制約を受ける場合であっても、端子台に対して端子カバーを確実に装着することができる。なお、外フランジ部の被押圧面の形状に対応する装着用治具を用いれば、外フランジ部の端子台への押圧は容易となる。また、装着に必要なスペースが制約を受けない場合には、着脱用のつまみ部を用いて端子台に対する端子カバーの装着を行うことができる。装着に必要なスペースが制約を受ける場合であっても、つまみ部を導電部から引き離すように引っ張ることにより、端子台に装着された端子カバーを取り外すことができる。
【０００９】
また、上記の端子カバーにおいて、前記外フランジ部は、前記接続側カバー部の外周にて前記開口の挿入方向における前記内フランジ部の位置と対応する位置に形成されている構成としてもよい。
この場合、外フランジ部を押圧することで、装着の際のカバー本体の変形を抑制しつつ、外フランジ部に対応する位置の内フランジ部に対して押圧力を作用させ、内フランジ部を変形させて導電部に確実に係合させることができる。
【００１０】
また、上記の端子カバーにおいて、前記接続側カバー部は、前記開口を有する開口側端部を備え、前記外フランジ部は、少なくとも、前記接続側カバー部の外周において前記開口の中心よりも前記開口側端部へ向けて形成されている構成としてもよい。
この場合、接続側カバー部の外周において開口の中心から開口側端部へ向けて形成されている外フランジ部を押圧することにより、装着の際に内フランジ部における導電部と係合し難い部位が確実に押圧力を受けることができる。
【発明の効果】
【００１２】
本発明によれば、装着に必要なスペースが制約を受ける場合であっても、端子台に対して確実な装着を可能とする端子カバーを提供することができる。
【図面の簡単な説明】
【００１３】
【図１】第１の実施形態に係る端子カバーが装着された端子台を示す斜視図である。
【図２】（ａ）は端子台に装着された端子カバーの一部を破断した側面図であり、（ｂ）は端子カバーの一部を破断した平面図である。
【図３】（ａ）は端子カバーの斜視図であり、（ｂ）は端子カバーの開口側から斜視図である。
【図４】（ａ）は装着用治具の斜視図であり、（ｂ）は装着用治具と端子カバーとの関係を説明する側面図である。
【図５】（ａ）〜（ｃ）は端子カバーを端子台に装着する手順を説明する説明図である。
【図６】（ａ）は第２の実施形態に係る端子カバーの平面図であり、（ｂ）は第２の実施形態に係る端子カバーの側面図である。
【図７】参考例に係る端子カバーの斜視図である。
【発明を実施するための形態】
【００１４】
（第１の実施形態）
以下、本発明の第１の実施形態に係る端子カバーについて図面を参照して説明する。本実施形態の端子カバーは、電動モータに設けた端子台と端子台に接続されるハーネスを覆う防水・防塵仕様の端子カバーである。まず、端子カバーの説明に先立ち、端子台について説明する。
【００１５】
図１に示すように、電動モータのハウジング１１には、端子台１２がボルト１３により固定されている。端子台１２は、絶縁性材料である樹脂により形成された端子台本体１４を備えている。端子台本体１４には、端子台本体１４の表面と直交する方向に延在する壁部１７が形成されており、壁部１７にはボルト１３を挿通する通孔（図示せず）が形成されている。図２（ａ）に示すように、端子台本体１４には、導電部２０が挿通される貫通孔１５が形成されている。貫通孔１５の軸心Ｐと壁部１７との距離は比較的短い。貫通孔１５の周囲には円筒状の被覆部１６が形成されている。被覆部１６は、端子台本体１４と一体形成されており貫通孔１５に挿通される導電部２０の外周を覆う。端子台本体１４を突出する導電部２０は、円柱状の中継端子２１と中継端子２１に形成された通孔（図示せず）に挿通されたボルト２３を備えている。ボルト２３の軸部の一部は中継端子２１から突出し、ボルト２３の頭部は図示されないが端子台本体１４の内側に位置する。
【００１６】
中継端子２１の突出側の端部には外径が小径化された係合部２２が設けられている。中継端子２１における係合部２２の端面はハーネス２５に設けた接続端子としての圧着端子２６の座面２４となっている。中継端子２１の他方の端面（図示せず）は、電動モータから引き出されているモータ側ハーネス（図示せず）の座面となり、ボルト２３の頭部とともにモータ側ハーネスを固定する。
ハーネス２５はハーネス本体２７とハーネス本体２７の一方の端部に設けられた圧着端子２６を有する。ハーネス本体２７は導線を有し、導線は絶縁性被覆部材により被膜されている。ハーネス本体２７の他方の端部は、電力供給源であるインバータに接続されている。圧着端子２６はボルト２３の軸部の挿通を可能とする径の円孔（図示せず）を有する丸形の圧着端子である。ハーネス２５は、ボルト２３の軸部を圧着端子２６の円孔に挿通し、圧着端子２６を座面２４に着座させ、締結用のナット２９を締結することにより導電部２０に接続される。端子台１２は３相（Ｕ相、Ｖ相、Ｗ相）のハーネス２５に対応する３個の導電部２０を有する（図１を参照）。
【００１７】
次に、導電部２０および圧着端子２６に対する防水・防塵を図るための端子カバー３０について説明する。図２（ａ）、図２（ｂ）に示すように、端子カバー３０はカバー本体３１を有する。カバー本体３１は弾力性を有するゴム材料により形成されており、導電部２０と、導電部２０と電気的に接続されたハーネス２５の圧着端子２６とを覆う。図３（ａ）、図３（ｂ）に示すように、カバー本体３１は、ドーム状の接続側カバー部３２と、この接続側カバー部３２と一体形成されている円筒状のハーネス側カバー部３３とを有している。カバー本体３１の長手方向とハーネス２５の延在方向がほぼ一致し、カバー本体３１の長手方向に対して直交する方向がカバー本体３１の幅方向に相当する。
【００１８】
接続側カバー部３２およびハーネス側カバー部３３の内部空間は互いに連通する。接続側カバー部３２の底部には、円形の開口３５を有する筒状部３４が形成されている。開口３５はカバー本体３１の内部空間と連通する。筒状部３４の内径は、被覆部１６の外径よりも小さく設定されている。筒状部３４は被覆部１６の外周に密着される部位である。筒状部３４は、先端へ向かうにつれて筒状部３４の径を大きくする環状端３６を有する。筒状部３４の先端に形成される環状端３６は、端子台本体１４の表面に押圧される部位である。環状端３６の肉厚は先端へ向かうにつれて小さくなっている。接続側カバー部３２の内周面における筒状部３４の基端付近には、環状の内フランジ部３７が開口３５へ向けて張り出して形成されている。内フランジ部３７は中継端子２１における係合部２２の外周面に密着される部位である。内フランジ部３７の内径は、圧着端子２６の外径よりも小さく設定されている。筒状部３４、環状端３６および内フランジ部３７は、互いに同心円状に形成されている。従って、端子カバー３０が装着されている状態では、開口３５の中心は貫通孔１５の軸心Ｐと一致する。筒状部３４の軸心Ｐ方向の長さは、端子カバー３０の装着時における端子台本体１４の表面から内フランジ部３７までの距離よりも大きく設定されている。
【００１９】
ハーネス側カバー部３３は、接続側カバー部３２と反対方向へ向けて先細りとなる部位を有し、接続側カバー部３２と反対方向となる端部には挿通孔３８が形成されている。挿通孔３８はハーネス本体２７が挿通可能な孔径が設定されている。挿通孔３８の孔径は、ハーネス本体２７の外径よりも小径に設定されている。挿通孔３８の開口方向は、カバー本体３１の長手方向と一致し、開口３５の軸心Ｐ方向と直交する。カバー本体３１は、ハーネス２５の延在方向と一致する長手方向において開口３５を有する接続側カバー部３２の端部（以下「開口側端部」と表記する）３１Ａと、挿通孔３８を有するハーネス側カバー部３３の端部（以下「挿通孔側端部」と表記する）３１Ｂを有する。
【００２０】
さらに、接続側カバー部３２の外周面上には外フランジ部４０が一体形成されている。図３（ｂ）に示すように、外フランジ部４０は、接続側カバー部３２の外周から外方へ張り出すが、カバー本体３１の長手方向における挿通孔３８と反対側となるカバー本体３１の開口側端部において、接続側カバー部３２の外周の半周にわたって形成されている。外フランジ部４０の周方向における端部４１は、カバー本体３１の長手方向と直交する幅方向において、接続側カバー部３２の最も幅広の部位に位置する。従って、外フランジ部４０は、少なくともカバー本体３１の外周において開口３５の軸心Ｐよりも開口側端部３１Ａへ向けて形成されている。外フランジ部４０の表面（装着時に端子台本体１４の表面と対向する面の反対側の面）は、内フランジ部３７の係合部２２への係合に必要な押圧力を受けるための被押圧面４２である。
【００２１】
外フランジ部４０は、カバー本体３１の外周にて開口３５の軸心Ｐ方向における内フランジ部３７の位置と対応する位置に形成されている（図２（ａ）を参照。）。つまり、開口３５の軸心Ｐ方向における筒状部３４の環状端３６から外フランジ部４０までの距離と、環状端３６から内フランジ部３７までの距離が一致する。これは、外フランジ部４０の被押圧面４２に端子台１２へ向けて押圧力を作用させたとき、接続側カバー部３２の変形を抑制しつつ、内フランジ部３７に対して押圧力を伝達するためである。
【００２２】
本実施形態では、外フランジ部４０には屈曲して延在する平板状のつまみ部４３が形成されている。つまみ部４３は端子カバー３０を端子台１２に対して着脱する際に用いるためものであり、つまんで引っ張り易い形状およびサイズに設定されている。
【００２３】
次に、端子カバー３０を装着するための装着用治具５０について説明する。本実施形態では、つまみ部４３を操作するためのスペースが十分に無い場合には、図４（ａ）、図４（ｂ）に示す装着用治具５０を用いる。装着用治具５０は、輪郭の一部に円弧を有する平板部５１と、平板部５１の円弧を含む縁部から平板部５１の板面と直交する方向に延在する断面Ｕ字状の曲板部５２と、を有する。曲板部５２の内側は接続側カバー部３２が収容可能な空間が形成されている。曲板部５２は、外フランジ部４０の表面にわたって当接可能な略Ｕ字状の先端部５３を備えている。本実施形態の装着用治具５０は、ゴム材料よりも硬い樹脂により形成されている。装着用治具５０は、先端部５３を外フランジ部４０の表面に当接させ、平板部５１を押圧することにより、端子カバー３０を端子台１２に確実に装着させる機能を有する。
【００２４】
次に、本実施形態の端子カバー３０の端子台１２に対する着脱の手順について説明するが、まず、端子カバー３０を端子台１２に装着する場合について説明する。端子カバー３０には予めハーネス２５を挿通しておく。次に、ハーネス２５の圧着端子２６へ端子台１２のボルト２３を挿通させ、圧着端子２６を座面２４に当接させ、ナット２９の締結により圧着端子２６を中継端子２１に固定する。圧着端子２６が中継端子２１に固定されることにより、導電部２０とハーネス２５は電気的に接続される。
【００２５】
次に、端子カバー３０を端子台１２に装着するが、まず、図５（ａ）に示すように、つまみ部４３をつまんでカバー本体３１を斜め上方へ引っ張り上げる。図５（ａ）に示す矢印Ｘはつまみ部４３を引っ張り上げる方向を示す。つまみ部４３の引っ張りにより、カバー本体３１は大きく変形して、図５（ｂ）に示すように、開口３５を通じてナット２９およびボルト２３の軸部が接続側カバー部３２の内部に収容される。
【００２６】
この時点では、筒状部３４については、一部が被覆部１６に密着するものの、被覆部１６に密着しない部位も存在し、環状端３６の一部は端子台本体１４の表面に押圧されていない。また、内フランジ部３７については、一部が中継端子２１における圧着端子２６と被覆部１６との間に係合するが、残りの部位は中継端子２１に係合しない状態にある。つまり、図５（ｂ）の状態では、端子カバー３０が端子台１２に完全に装着されていない。因みに、本実施形態の端子台１２は、貫通孔１５の軸心Ｐと壁部１７との距離は比較的短い。従って、つまみ部４３の引っ張りによってのみ端子カバー３０を端子台１２に装着させるために必要なスペースはない。
【００２７】
そこで、本実施形態では、装着用治具５０を用いて、端子カバー３０を端子台１２に完全に装着させる。装着用治具５０の先端部５３を外フランジ部４０の被押圧面４２に当接させ、カバー本体３１へ向けて平板部５１を押圧する。図５（ｂ）における矢印Ｙは装着用治具５０の押圧の方向を示す。平板部５１を押圧することにより、内フランジ部３７において中継端子２１に係合しない状態にある部位が、変形しつつ中継端子２１の係合部２２に係合される。図５（ｃ）に示すように、内フランジ部３７が中継端子２１の係合部２２に完全に係合されるとともに、被覆部１６に密着しない筒状部３４の部位が被覆部１６に密着する。さらに、環状端３６が端子台本体１４の表面に押圧される。環状端３６が端子台本体１４の表面に押圧されることにより、係合部２２に係合された内フランジ部３７は圧着端子２６の座面２４側の面と密着する。つまり、図５（ｃ）に示す状態では、端子カバー３０が端子台１２に完全に装着されている。
【００２８】
カバー本体３１はゴム材料により形成されているため、内フランジ部３７の内径が圧着端子２６の外径より小さくても、内フランジ部３７は、装着用治具５０の押圧による変形により、圧着端子２６のナット２９側から中継端子２１側へ移動することができる。本実施形態では、内フランジ部３７に対応する位置に外フランジ部４０が設けられていることにより、装着用治具５０によって外フランジ部４０の被押圧面４２に作用する押圧力は、内フランジ部３７に伝わり易くなる。その結果、装着用治具５０の押圧により内フランジ部３７は、圧着端子２６のナット２９側から中継端子２１側へ移動し易くなり、中継端子２１の係合部２２に係合され易くなる。また、開口３５の内径は被覆部１６の外径よりも小さく設定されているが筒状部３４の変形により被覆部１６が筒状部３４の開口３５に挿入され易く、筒状部３４は被覆部１６に密着する。さらに、内フランジ部３７が中継端子２１に係合されることにより、環状端３６は端子台本体１４の表面に押圧される。
【００２９】
次に、端子カバー３０を端子台１２から取り外す場合について説明する。端子台１２に装着されている端子カバー３０のつまみ部４３をつまみ、端子カバー３０を導電部２０から引き離すように上方へ引っ張ると、端子カバー３０が変形して内フランジ部３７と中継端子２１との係合が解除される。内フランジ部３７と中継端子２１との係合が解除された後、つまみ部４３をさらにハーネス本体２７へ向けて引っ張れば、導電部２０のナット２９およびボルト２３が開口３５を通じて端子カバー３０から露出される。
【００３０】
図示はしないが、貫通孔１５の軸心Ｐと壁部１７との距離が比較的長く、つまみ部４３の引っ張りによってのみ端子カバー３０を端子台に装着させるために必要なスペースを有する端子台の場合では装着用治具５０を用いる必要ない。つまり、従来と同様に、つまみ部４３の操作のみにより端子台に対する端子カバー３０の装着が可能である。具体的には、つまみ部４３を、図５（ａ）に示す矢印Ｘ方向と同じ方向へ引っ張った後、そのまま、つまみ部４３を引っ張った状態を保って端子台の表面に接近させると、端子カバー３０の端子台への装着が行われる。ただし、スペースの制約が無い場合でも、装着用治具５０を用いて端子カバー３０を端子台に装着することも可能である。
【００３１】
本実施形態の端子カバー３０によれば以下の作用効果を奏する。
（１）接続側カバー部３２における外フランジ部４０の被押圧面４２を押圧して外フランジ部４０を端子台１２へ向けて押圧することで、内フランジ部３７の中継端子２１の係合部２２への係合と、環状端３６の端子台本体１４に対する押圧が確実に行われる。従って、端子カバー３０の装着に必要なスペースが制約を受ける場合であっても、端子台１２に対して端子カバー３０を確実に装着することができる。なお、外フランジ部４０の形状に対応する押圧のための装着用治具５０を用いれば、外フランジ部４０の端子台１２への押圧は容易となる。
【００３２】
（２）装着用治具５０により外フランジ部４０を押圧することで、外フランジ部４０に対応する位置の内フランジ部３７には導電部２０に対する押圧力が作用し、内フランジ部３７を中継端子２１の係合部２２に確実に係合させることができる。
【００３３】
（３）外フランジ部４０がカバー本体３１の外周において開口３５の中心を通る軸心Ｐより開口側端部３１Ａへ向けて形成されている。このため、内フランジ部３７において中継端子２１の係合部２２と係合し難い部位（特に、内フランジ部３７において外フランジ部の端部４１に対応する部位）が確実に押圧力を受けることができる。
【００３４】
（４）端子カバー３０の装着に必要なスペースが制約を受けない端子台の場合には、着脱用のつまみ部４３を用いて端子台に対する端子カバー３０の着脱を行うことができ、装着用治具５０を用いずに端子台への装着が可能である。また、つまみ部４３が設けられていることにより、装着用治具５０により外フランジ部４０が押圧されるとき外フランジ部４０の変形を抑制することができる。その結果、内フランジ部３７の係合部２２への係合が押圧時の外フランジ部４０の変形によって困難になることはない。
【００３５】
（５）中継端子２１に外周が小径化された係合部２２を設けたことにより、端子カバー３０の装着時に内フランジ部３７が中継端子２１の係合部２２に係合され易く、軸心Ｐ方向における内フランジ部３７を位置決めすることができる。また、係合部２２と係合する内フランジ部３７の軸心Ｐ方向への位置ずれを防止することができる。
【００３６】
（６）環状端３６が端子台本体１４の表面に押圧されることにより、係合部２２に係合された内フランジ部３７は圧着端子２６の座面２４側の面と密着する。その結果、端子台１２に装着された端子カバー３０は確実に防水・防塵機能を発揮することができる。
【００３７】
（第２の実施形態）
次に第２の実施形態に係る端子カバーについて説明する。本実施形態の端子カバーは、つまみ部が外フランジ部の周方向にわたって形成されている点で、第１の実施形態の端子カバーと異なる。本実施形態では、第１の実施形態と共通する構成については、第１の実施形態の説明を援用し、符号を共通して用いる。
【００３８】
図６（ａ）、図６（ｂ）に示すように、本実施形態の端子カバー６０には、外フランジ部６１が接続側カバー部３２と同心円状に形成されている。外フランジ部６１は、接続側カバー部３２の外周の半周分にわたって平面視Ｃ字状に形成されている。外フランジ部６１の端部６２は、接続側カバー部３２が最も幅広となる位置に位置する。外フランジ部６１において、つまみ部６４が接続側カバー部３２と同心円状に形成されている。つまり、つまみ部６４は外フランジ部６１の端部６２から端部６２まで延在する。従って、つまみ部６４の軸心Ｐ方向と直交する断面はＣ字状である。外フランジ部６１はつまみ部６４の形成により外力に対して変形し難い。なお、被押圧面６３は接続側カバー部３２とつまみ部６４の間にわたって形成されている。
【００３９】
本実施形態の端子カバー６０によれば、先の実施形態の作用効果と同等の作用効果を奏する。また、本実施形態の端子カバー６０によれば、装着用治具５０を用いて端子カバー６０を端子台１２に装着するとき、つまみ部６４が外フランジ部６１の変形を防止する。その結果、外フランジ部６１の変形による内フランジ部３７の係合部２２への係合の困難化を回避することができる。
【００４０】
（参考例）
次に参考例に係る端子カバーについて説明する。本参考例の端子カバーは、つまみ部が設けられない点で、第１の実施形態の端子カバーと異なる。本参考例では、第１の実施形態と共通する構成については、第１の実施形態の説明を援用し、符号を共通して用いる。
【００４１】
図７に示すように、本参考例の端子カバー７０には、外フランジ部７１が設けられているものの、つまみ部は設けられていない。外フランジ部７１は接続側カバー部３２と同心半円状に形成され、端部７２および被押圧面７３を備えている。
【００４２】
本参考例の端子カバー７０によれば、先の実施形態の作用効果（１）〜（３）、（５）と同等の作用効果を奏する。また、本参考例によればつまみ部が設けられていないため、端子カバー７０の材料使用量を削減することができ、つまみ部を備えた端子カバーと比較して製作コストを低減することができる。
【００４３】
本発明は、上記の実施形態に限定されるものではなく発明の趣旨の範囲内で種々の変更が可能であり、例えば、次のように変更してもよい。
【００４４】
○  上記の実施形態では、弾力性を有するゴム材料を端子カバーの材料としたが、端子カバーを形成する材料はゴム材料に限定されない。十分な弾力性を有して弾性変形可能な材料であって絶縁性を有する材料であればよい。なお、ゴム材料としては、例えば、エチレン・プロピレン・ジエンゴム（ＥＰＤＭ）が好適である。
○  上記の実施形態では、外フランジ部は、カバー本体の外周にて開口の挿入方向における内フランジ部の位置と対応する位置に形成されているとしたが、この限りではない。外フランジ部の位置は、開口の軸心方向において内フランジ部と異なる位置に形成されてもよい。この場合、装着用治具により外フランジ部を押圧したときカバー本体が変形しないように、端子カバーの材料や肉厚等の条件を設定することが好ましい。
○  上記の実施形態では、接続端子として、丸形の圧着端子を例示したが、接続端子は丸形の圧着端子に限定されない。例えば、先開形の圧着端子でもよく、接続端子の形式は、特に限定されず自由である。また、端子台は３相分のハーネスを接続する端子台としたが、端子台に接続されるハーネスの数は１本以上であればよい。
○  上記の実施形態では、接続端子である圧着端子の外径が係合部の外径より大きいとしたが、圧着端子の外径が係合部の外径以下であってもよい。この場合、圧着端子と中継端子の座面との間に、係合部の外径より大きい外径を有する導電性のワッシャを介在させ、内フランジ部が係合部から位置ずれしないようにしてもよい。
【符号の説明】
【００４５】
１１  ハウジング
１２  端子台
１４  端子台本体
１６  被覆部
２０  導電部
２１  中継端子
２２  係合部
２５  ハーネス
２６  圧着端子
２７  ハーネス本体
３０、６０、７０  端子カバー
３１  カバー本体
３１Ａ  開口側端部
３４  筒状部
３５  開口
３６  環状端
３７  内フランジ部
３８  挿通孔
４０、６１、７１  外フランジ部
４１、６２、７２  端部
４２、６３、７３  被押圧面
４３、６４  つまみ部
５０  装着用治具
Ｐ  軸心
【図１】
0006447433.tif 000002
【図２】
0006447433.tif 000003
【図３】
0006447433.tif 000004
【図４】
0006447433.tif 000005
【図５】
0006447433.tif 000006
【図６】
0006447433.tif 000007
【図７】
0006447433.tif 000008